(57)【要約】【課題】転写にかかる時間を短縮可能な箔転写装置を提供する。【解決手段】箔フィルムに向けて光を照射する第１照射部と、前記第１照射部に対してスタガ配列され、前記箔フィルムに向けて光を照射する第２照射部とを備える箔転写装置。【選択図】図１
2020062794.tif 000002
【特許請求の範囲】
【請求項１】
箔フィルムに向けて光を照射する第１照射部と、
前記第１照射部とスタガ配列され、前記箔フィルムに向けて光を照射する第２照射部とを備える箔転写装置。
【請求項２】
前記第１照射部及び前記第２照射部を用いて前記箔フィルムを被加工材に転写するラスタ処理と、
前記第１照射部及び前記第２照射部のいずれかを用いて前記箔フィルムを前記被加工材に転写するベクタ処理と、
を実行可能な制御部をさらに備える請求項１に記載の箔転写装置。
【請求項３】
前記制御部は、前記ベクタ処理において、
前記第１照射部及び前記第２照射部のうち、累積使用時間の少ない方を使用する請求項２に記載の箔転写装置。
【請求項４】
前記制御部は、前記ベクタ処理において異常を検知した場合、
前記第１照射部及び前記第２照射部のうち、正常に使用できる方を用いて前記ベクタ処理を継続する請求項２または３に記載の箔転写装置。
【請求項５】
前記制御部は、前記ラスタ処理において異常を検知した場合、
前記第１照射部及び前記第２照射部のうち、正常に使用できる方を用いた前記ベクタ処理に変更する請求項２から４のいずれかに記載の箔転写装置。
【請求項６】
前記第１照射部と光学的に接続し、光を発光する第１光発生器と、
前記第２照射部と光学的に接続し、光を発光する第２光発生器とをさらに備え、
前記制御部は、前記第１光発生器または前記第２光発生器の温度を検出することにより前記異常を検知する、請求項４または５に記載の箔転写装置。
【請求項７】
前記制御部は、前記第１照射部の転写する転写画像の画素の諧調と、前記第２照射部の転写する前記転写画像の画素の諧調とを個別に制御する、請求項１から６のいずれかに記載の箔転写装置。
【発明の詳細な説明】
【技術分野】
【０００１】
本発明は箔転写装置に関する。
【背景技術】
【０００２】
レーザー光を箔フィルムに照射することによって、箔フィルムを被加工材の表面に転写し、被加工材の表面に画像を形成する箔転写装置が、従来技術として知られている（特許文献１）。
【先行技術文献】
【特許文献】
【０００３】
【特許文献１】特開２０１８−０６９５０２ 号公報
【発明の概要】
【発明が解決しようとする課題】
【０００４】
上記転写装置においては、細いレーザー光を箔フィルムに照射し、転写すべき画像のうち１画素ずつ、箔フィルムを転写していくことによって被加工材上に画像を形成していく。１画素ずつ転写作業を実行するため、転写を完了するまでには長時間を要するおそれがあった。
【０００５】
上記課題に鑑み、本発明の目的は、転写にかかる時間を短縮可能な箔転写装置を提供することにある。
【課題を解決するための手段】
【０００６】
上記課題を解決するため、本発明は、箔フィルムに向けて光を照射する第１照射部と、前記第１照射部に対してスタガ配列され、前記箔フィルムに向けて光を照射する第２照射部とを備える箔転写装置を提供する。
【発明の効果】
【０００７】
本発明は、転写にかかる時間を短縮可能な箔転写装置を提供できる。
【図面の簡単な説明】
【０００８】
【図１】実施形態に係る箔転写装置を示す外観斜視図である。
【図２】実施形態に係る駆動機構を模式的に示す左側面図である。
【図３】実施形態に係る照射部及びキャリッジの下面図である。
【図４】実施形態に係る転写部のうち、キャリッジを除いた部分を示す模式図であり、（ａ）第１照射部に係る構成と（ｂ）第２照射部に係る構成とを示す。
【図５】実施形態に係る箔転写装置の機能的繋がりを示すブロック図である。
【図６】実施形態に係る（ａ）設置部と、準備位置に配置された光吸収部とを示す上面図、及び（ｂ）設置部と、設置位置に配置された光吸収部とを示す上面図である。なお、理解を容易にするため、固定具の図示を省略している。
【図７】実施形態に係る、制御部が行う処理を示すフローチャートである。
【図８】実施形態に係る、制御部が行う処理のうち、異常検知時の処理を示すフローチャートである。
【発明を実施するための形態】
【０００９】
＜実施形態＞
図１〜図８を参照して、本発明の実施形態に係る箔転写装置１について説明を行う。本実施形態に係る箔転写装置１は、箔フィルムＦを重ねた被加工材Ｃに対してレーザー光を走査させ、被加工材Ｃに対して箔フィルムＦを所定形状に転写する。図１から図４に示すように、箔転写装置１は、筐体１０、制御部２０、転写部３０、上下方向駆動機構４０、前後方向駆動機構５０、左右方向駆動機構６０、設置部８０、及び光吸収部９０を含む。箔転写装置１は、外部のコンピュータ２（図５参照）と通信可能に接続されている。箔転写装置１自体がコンピュータ２の機能を有していてもよい。
【００１０】
コンピュータ２は、被加工材Ｃに転写する所定の画像、図柄（文字の輪郭等）の形状に沿った走査経路のデータを作成して箔転写装置１に送信する。コンピュータ２は、たとえば一般的なパーソナルコンピュータを使用することができる。走査経路の作成処理は、コンピュータ２に予めインストールされた、所定のプログラムを用いて実行する。
【００１１】
［筐体]
図１及び図２に示すように、筐体１０はベース部１２を備える。ベース部１２には、制御部２０と電気的に接続する電源スイッチ１１が設けられる。また、ベース部１２の上面には、設置部８０が固定される。
【００１２】
なお、本実施形態においては、図１に示すように、前後左右及び上下の方向を定める。詳細には、筐体１０に対して電源スイッチ１１の備わる方向を前方とし、その反対の方向を後方とする。また、筐体１０を前面から見た場合を基準として、左右の方向を定める。筐体１０において、ベース部１２が配置される側を下方とし、その反対を上方とする。
【００１３】
［転写部]
図１から図５に示すように、筐体１０には、転写部３０が設けられる。転写部３０は、２つのレーザー発振器３１Ａ、３１Ｂと、照射部３２と、光ファイバ３３Ａ、３３Ｂと、キャリッジ３４と、２つの温度計３５Ａ、３５Ｂとを備える。レーザー発振器３１Ａ、３１Ｂはそれぞれ、本発明の第１光発生器、第２光発生器の一例である。
【００１４】
レーザー発振器３１Ａ、３１Ｂは、いずれも半導体レーザー発振器であり、略同様の構成を備える（図４）。レーザー発振器３１Ａ、３１Ｂに所定の電流を流すことにより、レーザー発振器３１Ａ、３１Ｂそれぞれからレーザー光が発振される。レーザー発振器３１Ａ、３１Ｂの性能は、たとえば、波長４５０ｎｍ、最大出力１Ｗである。なお、レーザー発振器３１Ａ、３１Ｂは、半導体レーザーに限らず、固体レーザーや気体レーザーであってもよい。
【００１５】
図５に示すように、温度計３５Ａ、３５Ｂは、それぞれレーザー発振器３１Ａ、３１Ｂに設けられ、レーザー発振器３１Ａ、３１Ｂの温度を計測する。温度計３５Ａ、３５Ｂは、いずれも制御部２０に電気的に接続しており、計測した温度を制御部２０に電気信号として伝達する機能を備える。
【００１６】
図１から図５に示すように、照射部３２は、第１照射部３２Ａと、第２照射部３２Ｂとを備える。図３に示すように、第１照射部３２Ａ及び第２照射部３２Ｂは、上下方向視において、スタガ配列される。詳細には、転写処理時の走査方向である上下方向及び左右方向に対して、第１照射部３２Ａと、第２照射部３２Ｂとは、斜めに配列される。第１照射部３２Ａと第２照射部３２Ｂとがスタガ配列されているため、被加工材Ｃに対して照射部３２を前後方向に走査する場合であっても、左右方向に走査する場合であっても、同時に２画素ずつ転写処理を実行することが可能である。第１照射部３２Ａと、第２照射部３２Ｂとは、熱影響の無いように互いに適当な距離をおいて配置される。
【００１７】
図４に示すように、第１照射部３２Ａと、第２照射部３２Ｂとは略同様の構成を備える。第１照射部３２Ａ及び第２照射部３２Ｂは、それぞれ、レーザー発振器３１Ａ、３１Ｂと光ファイバ３３Ａ、３３Ｂを介して光学的に接続される。第１照射部３２Ａは、レンズ３２Ａａと、下部においてレンズ３２Ａａを支持し、上下に延びる略円筒形部材３２Ａｂとを備える。第２照射部３２Ｂは、レンズ３２Ｂａと、下部においてレンズ３２Ｂａを支持し、上下に延びる略円筒形部材３２Ｂｂとを備える。
【００１８】
レンズ３２Ａａ、３２Ｂａは、本実施形態ではそれぞれ球状に形成され、レーザー光が透過する材料で形成されている。なお、レンズ３２Ａａ、３２Ｂａの形状は、球状に限定されず、レンズ状や半球状であっても良い。レーザー発振器３１Ａ、３１Ｂから発振されたレーザー光は、光ファイバ３３Ａ、３３Ｂを介して第１照射部３２Ａ及び第２照射部３２Ｂにそれぞれ伝達され、レンズ３２Ａａ、３２Ｂａを介して外部に照射される。箔フィルムＦの転写処理は、レンズ３２Ａａ、３２Ｂａを、光吸収部９０を介して箔フィルムＦ及び被加工材Ｃに押し付け、レーザー光を照射することにより行われる。
【００１９】
転写処理には２種類の方式がある。１つは、第１照射部３２Ａ及び第２照射部３２Ｂの両方からレーザー光を照射するラスタ方式での処理（以下、ラスタ処理ともいう）である。もう１つは、第１照射部３２Ａ及び第２照射部３２Ｂのいずれか一方からレーザー光を照射するベクタ方式での処理（以下、ベクタ処理ともいう）である。箔転写装置１の状況や転写画像の構成に基づき、制御部２０またはユーザが、上記のどちらの処理を用いるかを判断する。
【００２０】
図１に示すように、キャリッジ３４は、照射部３２を、すなわち第１照射部３２Ａ及び第２照射部３２Ｂをキャリッジ３４の前部において支持する。キャリッジ３４は、左右方向駆動機構６０、前後方向駆動機構５０、及び上下方向駆動機構４０によって駆動可能に支持される。これらの駆動機構によって、キャリッジ３４と、これに支持される第１照射部３２Ａ及び第２照射部３２Ｂとは、被加工材Ｃに対して三次元方向に相対移動可能である。
【００２１】
[制御部]
箔転写装置１の全体の動作は、制御部２０によって制御されている。図５に示すように、制御部２０は、転写部３０、上下方向駆動機構４０、前後方向駆動機構５０、及び左右方向駆動機構６０と通信可能に接続され、それらを制御する。制御部２０の構成は特に限定されないが、本実施形態においては、プログラムを記憶するＲＯＭと、プログラムを実行するＣＰＵと、ＣＰＵによる処理において作業領域を提供するＲＡＭと、不揮発性メモリであって各種データを記憶するＮＶＲＡＭとを主に備える。
【００２２】
制御部２０は、照射部３２及びレーザー発振器３１Ａ、３１Ｂの累積使用時間をカウントし、記憶する機能を備える。詳細には、制御部２０は、レーザー発振器３１Ａ及び第１照射部３２Ａの累積使用時間Ｔ１と、レーザー発振器３１Ｂ及び第２照射部３２Ｂの累積使用時間Ｔ２とを記憶する。制御部２０は、レーザー発振器３１Ａ及び第１照射部３２Ａの使用の度に使用時間をカウントし、累積使用時間Ｔ１に加算する。また、制御部２０は、レーザー発振器３１Ｂ及び第２照射部３２Ｂの使用の度に使用時間をカウントし、累積使用時間Ｔ２に加算する。
【００２３】
制御部２０は、レーザー発振器３１Ａ、３１Ｂの温度監視を行う機能を備える。制御部２０は、温度計３５Ａ、３５Ｂより、レーザー発振器３１Ａ、３１Ｂそれぞれの検出温度を受け取る。制御部２０は、受け取った検出温度を予め設定された閾値と比較することにより、レーザー発振器３１Ａ、３１Ｂが過熱していないか監視する。
【００２４】
制御部２０は、箔転写における画素の階調を制御する機能を備える。制御部２０は、レーザー発振器３１Ａ、３１Ｂをそれぞれ制御して箔フィルムＦに照射する光のエネルギーを調整する。制御部２０は、転写画像の諧調を画素毎に解析し、画素に供給するエネルギーを計算する。画素１つ当たりに供給されるエネルギーは、光の照射時間によって調整される。
【００２５】
詳細には、制御部２０は、レーザー発振器３１Ａ、３１Ｂに対して、パルス電圧を供給するとともに、供給電圧のパルス幅を制御する。制御部２０は、パルス幅制御を行うことによって、各レーザー発振器３１Ａ、３１Ｂの単位時間当たりのレーザー発振時間を制御する。これにより制御部２０は、第１照射部３２Ａ及び第２照射部３２Ｂにおけるレーザー照射の時間比率を制御し、転写画像における１画素毎の階調を制御する。諧調は、２５６諧調や５１２諧調など、条件に応じて任意に設定可能である。
【００２６】
[上下方向駆動機構]
図１及び図２に示すように、上下方向駆動機構４０は、上下方向駆動シャフト４１と、駆動用モータ４２と、昇降ベース４３とを備えている。上下方向駆動シャフト４１は、上下方向に延び、螺旋状にねじが切られている。上下方向駆動シャフト４１の上部は筐体１０に回転可能に支持され、下端部は、ベース部１２に回転可能に支持されている。駆動用モータ４２は、筐体１０の上部に固定されるとともに、制御部２０と電気的に接続されている。また駆動用モータ４２の出力軸は上下方向駆動シャフト４１と機械的に接続しており、上下方向駆動シャフト４１を回転駆動させることが可能である。
【００２７】
昇降ベース４３は、水平方向に延出する部材であり、図示せぬ上下に延びるスライドシャフトによって摺動可能に支持される。また、昇降ベース４３は、上下方向駆動シャフト４１と螺合している。上下方向駆動シャフト４１が回転することにより、昇降ベース４３は、上下方向に移動する。昇降ベース４３は、前後方向に延びるスライドシャフト４３ａ、４３ｂを備える。
【００２８】
[前後方向駆動機構]
前後方向駆動機構５０は、前後方向駆動シャフト５１と、駆動用モータ５２と、スライドベース５４とを備える。前後方向駆動シャフト５１は、前後方向に延びるように昇降ベース４３に設けられ、螺旋状にネジが切られている。駆動用モータ５２は、昇降ベース４３の後部に固定され、制御部２０に電気的に接続されている。駆動用モータ５２の出力軸は、前後方向駆動シャフト５１の後端部と接続されており、前後方向駆動シャフト５１を回転駆動させることが可能である。
【００２９】
スライドベース５４は、前後方向駆動シャフト５１と螺合する。また、スライドベース５４は、スライドシャフト４３ａ、４３ｂによって摺動可能に支持されている。スライドベース５４は、駆動用モータ５２が駆動されると、前後方向駆動シャフト５１の回転により前後方向に移動する。スライドベース５４は、左右方向に延びるスライドシャフト５３ａ、５３ｂを備える。
【００３０】
[左右方向駆動機構]
左右方向駆動機構６０は、スライドベース５４と連結される。左右方向駆動機構６０は、左右方向駆動シャフト６１と、駆動用モータ６２とを備えている。左右方向駆動シャフト６１は、左右方向に延び、螺旋状にねじが切られている。駆動用モータ６２の出力軸は、左右方向駆動シャフト６１の右端部と機械的に接続し、左右方向駆動シャフト６１を回転駆動することが可能である。駆動用モータ６２は、制御部２０と電気的に接続されている。
【００３１】
左右方向駆動シャフト６１は、キャリッジ３４と螺合する。また、スライドシャフト５３ａ、５３ｂは、キャリッジ３４を摺動可能に支持している。駆動用モータ６２が駆動されると、左右方向駆動シャフト６１が回転し、キャリッジ３４は、スライドシャフト５３ａ、５３ｂに沿って左右方向に駆動される。
【００３２】
[設置部]
図１及び図２に示すように、設置部８０は、ベース部１２上に固定される平板状の台座８１と、台座８１上に着脱可能に固定される固定具８２と、支持体８３ａ、８３ｂとを備える。本実施形態による固定具８２は、左右の１対の部材を備え、被加工材Ｃを狭持することが可能である。固定具８２は、被加工材Ｃを左右から狭持することにより、被加工材Ｃをベース部１２上に固定する機能を備える。
【００３３】
支持体８３ａ、８３ｂは、下端部が台座８１に固定され、上方向に延出する略円柱状の部材である。支持体８３ａの上部は、光吸収部９０を回動可能に支持する。
【００３４】
[光吸収部]
光吸収部９０は、枠体９１とフィルム９２とを備える。枠体９１は、上面視で矩形の枠状部材であり、フィルム９２を支持する。フィルム９２は、レーザー光などの光線を吸収する機能を備える。
【００３５】
図６に示すように、光吸収部９０は支持体８３ａによって回動可能に支持され、準備位置（図６（ａ））と設置位置（図６（ｂ））との間を略水平に回動可能である。光吸収部９０が設置位置に配置されると枠体９１が支持体８３ｂと係合し、このため光吸収部９０は、設置位置に固定される。
【００３６】
［箔フィルム及び被加工材]
被加工材Ｃは、略直方体形状の筐体を有する部材である。被加工材Ｃの筐体は樹脂や金属によって形成される。なお、箔フィルムＦとしては、公知のメタリック箔、ホログラム箔、ハーフミラーメタリック箔、顔料箔、多色印刷箔等が採用される。
【００３７】
[転写処理]
箔転写装置１を用いて箔フィルムＦを被加工材Ｃに転写する際の処理内容について、図６、図７及び図８を用いて以下に詳述する。
【００３８】
最初にユーザは、光吸収部９０を、準備位置（図６（ａ））に配置する。次にユーザは、被加工材Ｃを、固定具８２に狭持させることにより、ベース部１２に対して相対移動不能となるように固定する。ユーザは、被加工材Ｃの固定後、被加工材Ｃの上に箔フィルムＦを覆うように載置する。さらにユーザは、光吸収部９０を準備位置から設置位置に回動させ（図６（ｂ））、被加工材Ｃ及び箔フィルムＦの設置を完了する。
【００３９】
被加工材Ｃ及び箔フィルムＦの設置が完了すると、ユーザは、コンピュータ２を用いて、転写すべき画像を入力する。その後ユーザは、図７及び図８に示すように、制御部２０に対して開始を指示する。制御部２０は、ユーザからの指示があるまで待機状態を継続している（Ｓ１：ＮＯ）。ユーザからの指示を受けた場合（Ｓ１：ＹＥＳ）、制御部２０は、下記の処理を開始する。制御部２０の操作は、筐体１０上に操作部を配置し、これを用いて行う構成としてもよい。
【００４０】
ステップＳ３において、制御部２０は、転写処理の方式を判断する。制御部２０は、転写画像の構成、形式等に基づき、ラスタ方式とするか、ベクタ方式とするかを判断する。なお、ユーザから直接、制御部２０に対して方式を指示しても良い。
【００４１】
ベクタ方式での処理を行うと判断した場合（Ｓ３：ベクタ処理）、制御部２０はステップＳ５において、累積使用時間Ｔ１と累積使用時間Ｔ２とを比較する。
【００４２】
１．ベクタ方式での処理１
累積使用時間Ｔ１の方が累積使用時間Ｔ２より短い場合（Ｓ５：ＹＥＳ）、制御部２０は、ステップＳ７へ進み、第１照射部３２Ａ及びレーザー発振器３１Ａを使用したベクタ方式での処理を行う。
【００４３】
ステップＳ７において、制御部２０は、累積使用時間Ｔ１のカウントを開始する。具体的には、制御部２０は、第１照射部３２Ａ及びレーザー発振器３１Ａが使用された時間として、累積使用時間Ｔ１を計上していく処理を開始する。
【００４４】
次に制御部２０は、ステップＳ９において、第１照射部３２Ａによる転写を開始する。制御部２０は、レーザー発振器３１Ａを起動し、諧調を制御しながら、レーザー光を第１照射部３２Ａのレンズ３２Ａａから照射する。このとき、レンズ３２Ａａはフィルム９２に接触するとともに、図示せぬバネによって、フィルム９２、箔フィルムＦ及び被加工材Ｃに向けて付勢されている。レーザー光は、フィルム９２を介して箔フィルムＦへ照射される。箔フィルムＦのレーザー光の照射を受けた部分が加熱され、被加工材Ｃの上面へ転写される。同時に、制御部２０は、上下方向駆動機構４０、前後方向駆動機構５０、及び左右方向駆動機構６０を駆動する。これにより、被加工材Ｃに対して照射部３２が、３次元方向に移動、走査し、転写画像を１画素ずつ転写していく。
【００４５】
ステップＳ１１において、制御部２０は、異常が発生していないかを確認する。異常には、レーザー発振器３１Ａの過熱と、転写部３０、上下方向駆動機構４０、前後方向駆動機構５０、または左右方向駆動機構６０における故障の発生とが含まれる。異常が発生したと判断した場合（Ｓ１１：ＹＥＳ）、制御部２０は、後述のステップＳ３５に処理を進める。
【００４６】
異常が発生していないと判断した場合（Ｓ１１：ＮＯ）、制御部２０は、転写を継続する。ステップＳ１３において、制御部２０は、転写すべき画像が全て転写されたかどうかを確認する。画像の転写が完了していない場合は（Ｓ１３：ＮＯ）、制御部２０は処理をステップＳ１１に戻し、転写を継続する。
【００４７】
転写画像の転写が全て完了したと判断したとき（Ｓ１３：ＹＥＳ）、制御部２０はレーザー発振器３１Ａを停止してレーザー光の照射を停止する（Ｓ３１）。また、制御部２０は、累積使用時間Ｔ１のカウントを停止する（Ｓ３３）。
【００４８】
２．ベクタ方式での処理２
ステップＳ５において、累積使用時間Ｔ１が累積使用時間Ｔ２以上である場合（Ｓ５：ＮＯ）、制御部２０は、ステップＳ１５へ処理を進め、第２照射部３２Ｂ及びレーザー発振器３１Ｂを使用したベクタ方式での処理を行う。
【００４９】
ステップＳ１５において、制御部２０は、累積使用時間Ｔ２のカウントを開始する。具体的には、制御部２０は、第２照射部３２Ｂ及びレーザー発振器３１Ｂが使用された時間として、累積使用時間Ｔ２を計上していく処理を開始する。
【００５０】
次に制御部２０は、ステップＳ１７において、第２照射部３２Ｂによる転写を開始する。制御部２０は、レーザー発振器３１Ｂを起動し、諧調を制御しながら、レーザー光を第２照射部３２Ｂのレンズ３２Ｂａから照射する。このとき、レンズ３２Ｂａはフィルム９２に接触するとともに、図示せぬバネによって、フィルム９２、箔フィルムＦ及び被加工材Ｃに向けて付勢されている。レーザー光は、フィルム９２を介して箔フィルムＦへ照射される。箔フィルムＦのレーザー光の照射を受けた部分が加熱され、被加工材Ｃの上面へ転写される。同時に、制御部２０は、上下方向駆動機構４０、前後方向駆動機構５０、及び左右方向駆動機構６０を駆動する。これにより、被加工材Ｃに対して照射部３２が、３次元方向に移動、走査し、転写画像を１画素ずつ転写していく。
【００５１】
ステップＳ１９において、制御部２０は、異常が発生していないかを確認する。異常には、レーザー発振器３１Ｂの過熱と、転写部３０、上下方向駆動機構４０、前後方向駆動機構５０、または左右方向駆動機構６０における故障の発生とが含まれる。異常が発生したと判断した場合（Ｓ１９：ＹＥＳ）、制御部２０は、後述のステップＳ３５に処理を進める。
【００５２】
異常が発生していないと判断した場合（Ｓ１９：ＮＯ）、制御部２０は、転写を継続する。ステップＳ２１において、制御部２０は、転写すべき画像が全て転写されたかどうかを確認する。画像の転写が完了していない場合は（Ｓ２１：ＮＯ）、制御部２０は処理をステップＳ１９に戻し、転写を継続する。
【００５３】
転写画像の転写が全て完了したと判断したとき（Ｓ２１：ＹＥＳ）、制御部２０はレーザー発振器３１Ｂを停止してレーザー光の照射を停止する（Ｓ３１）。また、制御部２０は、累積使用時間Ｔ２のカウントを停止する（Ｓ３３）。
【００５４】
３．ラスタ方式での処理
ステップＳ３において、ラスタ方式での処理を行うと判断した場合（Ｓ３：ラスタ処理）、制御部２０はステップＳ２３に処理を進め、累積使用時間Ｔ１、Ｔ２両方のカウントを開始する。累積使用時間Ｔ１、Ｔ２のカウントの方法は、ステップＳ７、Ｓ１５で述べた通りである。
【００５５】
制御部２０は、ステップＳ２５において、第１照射部３２Ａ及び第２照射部３２Ｂの両方を用いた転写を開始する。制御部２０は、レーザー発振器３１Ａ、３１Ｂを両方起動し、諧調を制御しながら、レーザー光を第１照射部３２Ａ及び第２照射部３２Ｂのレンズ３２Ａａ、３２Ｂａそれぞれから照射する。このとき、レンズ３２Ａａ、３２Ｂａはフィルム９２に接触するとともに、図示せぬバネによって、フィルム９２、箔フィルムＦ及び被加工材Ｃに向けて付勢されている。同時に、制御部２０は、上下方向駆動機構４０、前後方向駆動機構５０、及び左右方向駆動機構６０を駆動する。これにより、被加工材Ｃに対して照射部３２が、３次元方向に移動、走査し、転写画像を２画素ずつ転写していく。
【００５６】
ステップＳ２７において、制御部２０は、異常が発生していないかを確認する。異常には、レーザー発振器３１Ａ、３１Ｂの過熱と、転写部３０、上下方向駆動機構４０、前後方向駆動機構５０、または左右方向駆動機構６０における故障の発生とが含まれる。異常が発生したと判断した場合（Ｓ２７：ＹＥＳ）、制御部２０は、後述のステップＳ３５に処理を進める。
【００５７】
異常が発生していないと判断した場合（Ｓ２７：ＮＯ）、制御部２０は、転写を継続する。ステップＳ２９において、制御部２０は、転写すべき画像が全て転写されたかどうかを確認する。画像の転写が完了していない場合は（Ｓ２９：ＮＯ）、制御部２０は処理をステップＳ２７に戻し、転写を継続する。
【００５８】
転写画像の転写が全て完了したと判断したとき（Ｓ２９：ＹＥＳ）、制御部２０はレーザー発振器３１Ａ、３１Ｂを全て停止してレーザー光の照射を停止する（Ｓ３１）。また、制御部２０は、累積使用時間Ｔ１、Ｔ２のカウントを停止する（Ｓ３３）。
【００５９】
４．異常処理
異常を検知した場合（Ｓ１１：ＹＥＳ、Ｓ１９：ＹＥＳ、またはＳ２７：ＹＥＳ）、制御部２０は、ステップＳ３５において稼働中の部品、装置を全て停止し、処理を中断する。また、ステップＳ３７において累積使用時間Ｔ１、Ｔ２のカウントを停止する。
【００６０】
次に制御部２０は、正常に使用できる照射部があるかどうか確認をする。第２照射部３２Ｂが正常に使用できると判断した場合（Ｓ３９：第２照射部）、ステップＳ１５に処理を進める。このようにして制御部２０は、第２照射部３２Ｂを用いたベクタ方式によって、転写処理を再開する。上記の判断が行われる場合として、例えば、レーザー発振器３１Ａが過熱している一方でレーザー発振器３１Ｂが正常に使用でき、他の部品にも異常がない場合が挙げられる。
【００６１】
一方、第１照射部３２Ａが正常に使用できると判断した場合（Ｓ３９：第１照射部）、制御部２０は、ステップＳ７に処理を進める。このようにして制御部２０は、第１照射部３２Ａを用いたベクタ方式によって、転写処理を再開する。上記の判断が行われる場合として、例えば、レーザー発振器３１Ｂが過熱している一方でレーザー発振器３１Ａが正常に使用でき、他の部品にも異常がない場合が挙げられる。
【００６２】
第１照射部３２Ａ及び第２照射部３２Ｂのいずれも使用できないと判断した場合（Ｓ３９：なし）、制御部２０は処理を終了する。例えば、レーザー発振器３１Ａ、３１Ｂのどちらも過熱している場合や、上下方向駆動機構４０など他部品に異常があって照射部３２の走査ができない場合などにおいて、上記の判断が行われる。
【００６３】
＜変形例＞
本実施形態においては、照射部は２つとしていたが、スタガ配列された３つ以上の照射部を設ける構成としても良い。また、本実施形態において、異常の有無を判断するステップを、ステップＳ１の直後に追加しても良い。このような形態とすると、制御部２０は、ラスタ方式またはベクタ方式の実行が可能かどうか、若しくは、ベクタ方式においてどちらの照射部を使用するか、転写開始前にも判断できる。
【００６４】
ステップＳ５において、累積使用時間Ｔ１と累積使用時間Ｔ２とが等しい場合には、どちらの照射部を用いてもよい。或いは、予め決められた一方の照射部を用いる構成としても良い。また、ステップＳ５において、温度が低い方の照射部を優先して使用する構成としても良い。
【００６５】
本実施形態において、２つの温度計３５Ａ、３５Ｂが設けられ、レーザー発振器３１Ａ、３１Ｂの温度をそれぞれ検出する構成としていたが、本発明はこのような構成に限定されない。１つの温度計が、レーザー発振器３１Ａ、３１Ｂ両方の温度を検出する構成とすることもできる。
【００６６】
なお、本実施形態では、転写を行うための光発生器として、レーザー発振器３１Ａ、３１Ｂを用いる構成について述べたが、本発明はこのような構成に限られない。たとえば、レーザー発振器３１Ａ、３１Ｂに代わり、発光ダイオードを用いることも可能である。また、発光ダイオードに限らず、流す電流を変えることで光の出力を変えることができるような素子等を使用することもできる。また、転写部３０にホットスタンプ方式や、ヒートペン方式に対応した機構を用いることも可能である。また、光吸収部９０を用いずに転写処理を行うことも可能である。
【００６７】
また、本実施形態では、照射部３２のみが移動する例について述べたが、本発明はこのような構成に限定されない。すなわち、固定された照射部３２に対し、設置部８０が前後方向、左右方向、及び上下方向に移動することで箔転写を行ってもよい。この場合、上下方向駆動機構４０、前後方向駆動機構５０、及び左右方向駆動機構６０は、設置部８０を駆動させる構成（たとえば、設置部８０を三軸方向に移動させるための駆動用モータ）を有する。或いは、照射部３２と設置部８０との双方を移動する構成としてもよい。
【００６８】
また、本発明における被加工材Ｃの筐体の形状は、本実施形態のように直方体形状に限定されず、各側面が曲面で構成されていても良い。
【００６９】
＜効果＞
箔転写装置１は、箔フィルムＦに向けて光を照射する第１照射部３２Ａと、第１照射部３２Ａとスタガ配列され、箔フィルムＦに向けて光を照射する第２照射部３２Ｂとを備える。
【００７０】
スタガ配列された２つの照射部を備えるため、箔転写装置１は、２画素を同時に転写することが可能である。そのため１つの照射部のみを用いる装置と比較し、転写速度が速く、転写時間が短い。
【００７１】
箔転写装置１は、第１照射部３２Ａ及び第２照射部３２Ｂを用いて箔フィルムＦを被加工材Ｃに転写するラスタ処理と、第１照射部及び第２照射部のいずれかを用いて箔フィルムＦを加工材Ｃに転写するベクタ処理と、を実行可能な制御部２０を備える。
【００７２】
箔転写装置１においては、装置の状況や転写画像の構成に応じて、最適な処理方法を適宜選択できる。そのため、転写処理の品質を優先させたり、転写作業の速度を優先させたりするなど、装置状況及びユーザの要求に応じた柔軟な転写処理を行うことが可能である。
【００７３】
制御部２０は、ベクタ処理において、第１照射部３２Ａ及び第２照射部３２Ｂのうち、累積使用時間の少ない方を使用する。
【００７４】
上記構成では、累積使用時間の少ない照射部を優先して使用することで、照射部間における使用時間の偏りを抑制することができる。
【００７５】
制御部２０は、ベクタ処理において異常を検知した場合、第１照射部３２Ａ及び第２照射部３２Ｂのうち、正常に使用できる方を用いてベクタ処理を継続する。また、制御部２０は、ラスタ処理において異常を検知した場合、第１照射部３２Ａ及び第２照射部３２Ｂのうち、正常に使用できる方を用いたベクタ処理に変更する。
【００７６】
上記構成では、異常が発生しても転写処理を継続できる。そのため、不慮の事態に際しても安定した処理を行う、耐久性の高い箔転写装置１とすることができる。
【００７７】
箔転写装置１は、第１照射部３２Ａと光学的に接続し、光を発光するレーザー発振器３１Ａと、第２照射部３２Ｂと光学的に接続し、光を発光するレーザー発振器３１Ｂとをさらに備える。また、制御部２０は、レーザー発振器３１Ａまたはレーザー発振器３１Ｂの過熱を検出することにより異常を検知する。
【００７８】
上記構成では、出力異常の原因になり得るレーザー発振器過熱を、的確に検知できる。
【００７９】
制御部２０は、前記第１照射部３２Ａの転写する転写画像の画素の諧調と、前記第２照射部３２Ｂの転写する転写画像の画素の諧調とを個別に制御する。
【００８０】
上記構成では、画素間の諧調が異なる場合であっても、２画素を同時に転写することが可能となる。そのため、迅速な転写処理が実行可能である。
【００８１】
上記実施形態は、発明の例として提示したものであり、発明の範囲を限定するものではない。上記の構成は、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８２】
１  箔転写装置
２  コンピュータ
１０  筐体
２０  制御部
３０  転写部
３１Ａ、３１Ｂ  レーザー発振器
３２Ａ  第１照射部
３２Ｂ  第２照射部
４０  上下方向駆動機構
５０  前後方向駆動機構
６０  左右方向駆動機構
８０  設置部
９０  光吸収部
Ｃ  被加工材
Ｆ  箔フィルム
【図１】
2020062794.tif 000003
【図２】
2020062794.tif 000004
【図３】
2020062794.tif 000005
【図４】
2020062794.tif 000006
【図５】
2020062794.tif 000007
【図６】
2020062794.tif 000008
【図７】
2020062794.tif 000009
【図８】
2020062794.tif 000010